(57)【要約】      （修正有）【課題】キァリアフレームに可撓性のダストバッグを吊設する形式のダストバッグであって、廃棄に際しての環境負荷が少なく、屋外使用可能な防雨性に優れたものを提供する。【解決手段】ダストバッグ本体２０を、開口部Ｈの対向辺に１対の掛止フラップ２３を形成した角袋状に形成し、パイプフレーム構成のキァリアフレームに１対の掛止フラップ２３，２３を介して吊設可能とする。一方、蓋体３０は、内部に雨水が浸入しないように４辺の重ねフラップをダストバッグ本体２０の周囲に重ねるように取り付ける。ダストバッグ本体２０および蓋体３０の素材には、例えば、樹脂コートキャンバス生地のような可撓性のシートを用いる。ごみは、閉じた状態の蓋体３０のスリットから押し込むようにして投入する。【選択図】図１
2011011835.tif 000002
【特許請求の範囲】
【請求項１】
上面を開口部とし、該開口部の対向する２辺に１対の掛止フラップを形成した角袋状のダストバッグ本体と、
中央位置にごみ投入用のスリットを形成するとともに４辺に重ねフラップを設け、該重ねフラップを直接または前記掛止フラップを介して前記ダストバッグ本体の開口部の周囲に重ね合わせるようにして前記開口部をごみ投入可能に塞ぐ蓋体とを備えてなり、
前記ダストバッグ本体と蓋体とは、いずれも可撓性のシート材料から形成され、
前記蓋体には、前記ダストバッグ本体に対して前記ダストバッグ本体の内袋としてダストバッグ本体内に装填するごみ用の袋（ポリ袋等）の開口周縁部をダストバッグ本体の開口周縁部および前記掛止フラップと前記蓋体の重ねフラップとの間に挟み込んだ状態において開閉自在に施蓋する施蓋手段を設けてなることを特徴とするダストバッグ。
【請求項２】
前記ダストバッグ本体には、これが取り付けられるパイプフレーム構成のキァリアフレームに、前記１対の掛止フラップを巻き掛けるようにして掛脱自在に掛止する掛止手段を設け、前記掛止手段は、中間部に差込みロック式のバックルを備え、前記掛止フラップと前記ダストバッグ本体の開口周縁部との間に張設するバンド部材であることを特徴とする請求項１に記載のダストバッグ。
【請求項３】
前記施蓋手段が、前記蓋体の重ねフラップを前記ダストバッグ本体の周縁部と前記掛止フラップに吸着固定するマグネットホックであることを特徴とする請求項１または請求項２に記載のダストバッグ。
【請求項４】
前記蓋体は、前記ごみ投入用のスリットに水密用のシールファスナを備えることを特徴とする請求項１ないし請求項３のいずれか１項に記載のダストバッグ。
【請求項５】
前記ダストバッグ本体と前記蓋体とが、樹脂コートキャンバス生地製であって、樹脂コート面を内側面にして使用されていることを特徴とする請求項１ないし請求項４のいずれか１項に記載のダストバッグ。
【発明の詳細な説明】
【技術分野】
【０００１】
本発明は、ごみを収納するための容器体であり、特に可撓性のダストバッグを可搬性のキャリアフレームに吊設して好適なダストバッグに関する。
【背景技術】
【０００２】
例えば、企業の各部所や、大学構内、大規模小売り店舗の出入り口およびレジ周辺、イベント会場の要所等、屋内外を問わず多数の人が集来する場所には、樹脂製のごみ箱が配置される。このような用途に使用されるごみ箱は、一般に角形または円形の蓋付きのものであり、ごみの種類に応じて複数個セットで利用されることが多い（例えば、特許文献１，２参照）。これを全国的な規模で考える場合、樹脂製ごみ箱の使用量は実に膨大な個数に及ぶということができる。
【先行技術文献】
【特許文献】
【０００３】
【特許文献１】特許第３２３６５２２号公報
【特許文献２】特開平１０−１０９７０１号公報
【０００４】
ごみ箱は、通常内部にごみ用のポリ袋を内袋として装填して使用し、ごみ箱に投入されたごみは、一定期間ごとに社員や清掃受託業者の作業員がポリ袋ごと一箇所に収集し、専門の処理業者に引き渡される。
【０００５】
この際のごみの収集作業は、設置されているごみ箱の個数やごみの量が多い場合には、専用のケージ付き台車を使用する大仕事になる場合もある。特に、大規模な屋外イベント会場に設置されたごみ箱のように、ごみの収集に際しての搬送距離が長大である場合には、大変である。また、イベント会場の場合は、イベント終了後にはごみ箱を撤去してストックしておく必要があることが多い。そこで、このような用途に際しては、搬送に便利なようにごみ箱を軽量化するとともに、ごみ箱自体に可搬性を備えさせたいという要望が提出される。
【０００６】
樹脂製のごみ箱は、ごみ箱自体が高価な商品ではなく、また、扱うものがごみであり、しかも不特定多数の人が利用するという事情にもより、比較的早期に汚損ないし破損することが多い。汚損等したごみ箱をそのまま設置しておくことは、例えば、企業イメージの低下をもたらす上、利用者にとっても気持ちのよいものではあり得ない。したがって、ごみ箱は、数年ごとの高頻度で新品に取り換えられることとなり、ごみ箱設置者における経費負担の増大と、プラスチックごみをできるだけ減らそうと努めているごみ減量運動に反してごみ箱自体が大形プラスチックごみの増大を招くという矛盾がある。そこで、ごみ箱を樹脂以外の素材で製造したいという要望が提出される。
【０００７】
また、ごみ箱の内袋としてほぼ例外なく使用されているポリ袋は、蓋板とごみ箱本体との間に挟み込むことによって固定されている。したがって、ごみを投入するため蓋板を取り外した際にごみ箱本体内に落下してしまうという不都合が生じる。これを防止する手段として、従来、蓋板の中央部にいわばシーソー式のごみ投入口を設け、蓋板を取り外すことなくごみ投入可能とする対応策がとられている。しかし、シーソー式のごみ投入口は、雨水の進入を阻止することができないため、この種の蓋板を設けたごみ箱は、屋外使用することができないという問題がある。
【０００８】
本願の発明者らは、ごみ箱に対する前記、軽量化、可搬化、非プラスチック化、防雨構造化の要望に対して、アルミニウム合金製のパイプ材をＸ字脚状に構成してなるキャスタ付きのキァリアフレームに可撓性のシート材料からなる複数個のダストバッグを吊設する方式の可搬式ダストバッグ装置を案出した。この方式の採用によって、ごみ箱についての前記要望事項をおおむね充足することができるからである。また、商品化に先立ち、実際の使用による問題点の検討を行った。
【０００９】
前記検討結果として、いくつかの問題点が発見されたが、このうち、ダストバッグについて、内袋として使用することとなるポリ袋をどのように固定するかという点と、防雨構造をどのように実現するかという点が特に問題視された。
【発明の概要】
【発明が解決しようとする課題】
【００１０】
ダストバッグが、例えば、可撓性のシート材料から構成される場合、仮に、従来例のように樹脂製の蓋板で押さえ込もうとしても押さえが効かないという問題が発生する。また、樹脂製の蓋板を使用すれば、従来からの廃棄に際しての処理問題を解決することができない。さらに、防雨構造の蓋板を用いる場合には、ごみの投入をどのようにするかという問題もある。
【００１１】
そこで、本発明の目的は、蓋をした状態でのごみ投入が可能である屋外使用可能な防雨構造であって、内袋としてのポリ袋の交換および固定を簡単に行うことができ、しかも、耐用期間後においては、プラスチック粗大廃棄物とならないダストバッグを提供するにある。
【課題を解決するための手段】
【００１２】
本発明のダストバッグは、上面を開口部とし、開口部の対向する２辺に１対の掛止フラップを形成した角袋状のダストバッグ本体と、中央位置にごみ投入用のスリットを形成するとともに４辺に重ねフラップを設け、重ねフラップを直接または掛止フラップを介してダストバッグ本体の開口部の周囲に重ね合わせるようにして開口部をごみ投入可能に塞ぐ蓋体とを備えてなる。ダストバッグ本体および蓋体は、いずれも可撓性のシート材料から形成され、蓋体には、ダストバッグ本体に対してダストバッグ本体の内袋としてダストバッグ本体内に装填するごみ用の袋（ポリ袋等）の開口周縁部をダストバッグ本体の開口周縁部および掛止フラップと蓋体の重ねフラップとの間に挟み込んだ状態において開閉自在に施蓋する施蓋手段を設けることを特徴とする。
【００１３】
本発明のダストバッグによれば、ダストバッグ本体は、上面を開口部とした角袋状に形成され、その容量に応じて内部にごみを収容することができる。ダストバッグ本体と蓋体とからなり、これらは、いずれも可撓性のシート材料から形成されていることにより、耐用期間経過後においてプラスチック製粗大ごみとなるという事態を回避することができる。仮に、可撓性のシート材料が樹脂コートシート材料のようなものである場合においても、この場合の樹脂使用量は、無視できる使用量に抑えることができる。
【００１４】
蓋体は、中央位置にスリットを形成するとともに、４辺に重ねフラップを設けた面状体であり、開閉自在の施蓋手段を備える。この施蓋手段は、ダストバッグ本体内に装填するごみ用のポリ袋の開口周縁部をダストバッグ本体の開口周縁部および掛止フラップと４辺の重ねフラップとの間に挟み込んだ状態において開閉自在に施蓋することができる。これによってごみ袋（ポリ袋等）は、重ねフラップと対応するダストバッグ本体の開口周縁部等との間に安定に拘束された状態となる。また、蓋体は、可撓性のシート材料から形成されていることにより、無負荷状態においては閉じた状態のスリットを介してダストバッグ本体内にごみを押し込むことが可能である。つまり、前記構成の蓋体は、概ねの防雨性と施蓋状態のままでのごみの投入とを両立させている。
【００１５】
本発明としては、前記ダストバッグ本体には、パイプフレーム構成のキァリアフレームに１対の掛止フラップを巻き掛けるようにして掛脱自在に掛止する掛止手段を設け、前記掛止手段は、中間部に差込みロック式のバックルを備え、掛止フラップとダストバッグ本体の開口周縁部との間に張設するバンド部材によって構成することができる。
【００１６】
本発明によれば、ダストバッグ本体の開口部の対向する２辺には、１対の掛止フラップが形成されるとともに、掛止手段が設けられている。ダストバッグ本体は、パイプフレーム構成のキァリアフレームの所定部位に１対の掛止フラップを巻き掛けるとともに、掛止手段によって掛脱自在に取り付けることができ、ダストバッグ本体は、重力によって自由下垂した吊設態様となる。したがって、ダストバッグ本体は、可撓性のシート材料から形成されているにもかかわらず、端正な角袋状態を保つことができる。
【００１７】
また、掛止手段として、中間部に差込みロック式のバックルを備え掛止フラップとダストバッグ本体の開口周縁部との間に張設するバンド部材を使用する構成により、キァリアフレームに対して、掛止フラップを介して行う掛脱操作を簡略化することがきる。
【００１８】
本発明としては、前記施蓋手段としては、蓋体の重ねフラップをダストバッグ本体の周縁部と掛止フラップに吸着固定するマグネットホックを用いることができる。
【００１９】
施蓋手段として、マグネットホックを用いる構成は、磁力線による吸着力が非磁性物質、具体的にはポリ袋を透過して支障なく作用することを利用するものであり、蓋体の重ねフラップとダストバッグ本体の周縁部等とを、両者の間にポリ袋の開口周縁部を挟みこんだ状態において、吸着固定することができる。
【００２０】
本発明としては、前記蓋体は、ごみ投入用のスリットに水密用のシールファスナを備える構成とすることができる。
【００２１】
前記ごみ投入用のスリットに水密用のシールファスナを備える蓋体の構成は、ごみの投入に際してシールファスナを開閉操作する必要が生じるものの、ダストバッグ本体内への雨水の浸入をほぼ完全に防止することができる。
【００２２】
本発明としては、前記ダストバッグ本体と蓋体とは、いずれも樹脂コートキャンバス生地製であって、樹脂コート面を内側面にして使用する構成とすることができる。
【００２３】
ダストバッグ本体と蓋体とが、樹脂コートキャンバス生地製であって、樹脂コート面を内側面にして使用する構成は、キャンバス生地による、いわゆるジャージィでカジュアルな外観効果を奏しながら、ダストバッグ本体の内部については、汚れの付着性が低く、したがって、汚れ落ちに優れた樹脂の特性を発揮させることができる。
【発明の効果】
【００２４】
本発明のダストバッグは、可撓性のシート材料からなるダストバッグ本体と蓋体とからなるので、耐用期間経過後の廃棄に際しての環境負荷が少ないとともに、内袋として使用することとなるごみ用のポリ袋を、蓋体の４辺に形成する重ねフラップとダストバッグ本体との間に挟み込んだ３枚重ねの状態で施蓋手段によって施蓋することができるので、ごみ袋（ポリ袋等）の保持を確実なものとすることができ、さらに、施蓋した状態において、蓋体に形成する閉じた状態のスリットを介して蓋体の可撓性を利用してごみを押し込むようにして投入することができるので便利であり、この蓋体は、屋外使用可能な基本的な防雨効果をも発揮することができる。
【図面の簡単な説明】
【００２５】
【図１】本発明の一の実施の形態のダストバッグを示す使用状態の斜視図である。
【図２】前記一実施の形態における要部の斜視図である。
【図３】前記一実施の形態における要部の断面図である。
【図４】前記一実施の形態が取り付けられるキャリアフレームを示す斜視図である。
【図５】前記一実施の形態の蓋体のシールファスナを示す平面図である。
【発明を実施するための形態】
【００２６】
以下、図面を引用しながら本発明のダストバッグの実施の形態を説明する。
【００２７】
可搬式ダストバッグ装置１００のダストバッグＤＢは、ダストバッグ本体２０と蓋体３０とからなる（図１）。
【００２８】
可搬式ダストバッグ装置１００は、キャスタＣ１…を備える移動式のキャリアフレームＣＦに、任意個数のダストバッグＤＢを吊設した構成である。ダストバッグＤＢの個数は、専ら、ごみの分別収集の要請に応えるためであり、分別収集の要請がない場合においては、１個でも用は足りることになる。キャリアフレームＣＦは、通常、ダストバッグＤＢ２個用と３個用とが標準仕様とされる。本実施の形態では、紙類とプラスチック類の分別の２個で、これらの表示シートがポケット２１Ｐ，２１Ｐに入れられる（図４）。
【００２９】
本発明のダストバッグＤＢは、材質面においてプラスチック成形品ではなく、可撓性シート材料（例えばビニール系の素材）からの縫製加工品である。また、構造面においては、キャリアフレームＣＦに対する取付け方および蓋体３０の構成に特徴を有する。
【００３０】
ダストバッグＤＢのダストバッグ本体２０は、底面と、その４周を取り囲む側面２１…との５面構成の角袋状に形成されている（図１，図２）。つまり、ダストバッグ本体２０の上面は、開口部Ｈとされ、開口部Ｈの対向する２辺には、1対の掛止フラップ２３，２３が形成されている。各掛止フラップ２３の裏面には、滑り止めシート２４が添設されている。また、開口部Ｈの上端縁の外側面は、補強バンド２５によって強化されている。その他、破損し易い箇所や、使用上力の加わる箇所についても補強バンド２５による補強対策が施されている。
【００３１】
1対の掛止フラップ２３，２３と対応するダストバッグ本体２０の側面２１，２１との間には、掛止手段Ｆ１として差込みロック式のバックルＢを有する各１対のバンド部材２Ｂ，２Ｂが並設されている。また、ダストバッグ本体２０の開口部Ｈの周囲には、掛止フラップ２３部分も含めて、施蓋手段Ｆ２としてのマグネットホックＭ…が配設されている。なお、ダストバッグ本体２０の掛止フラップ２３，２３を備えない２側面に配設されるマグネットホックＭ…は、ペアバンド３Ｂによって雄型と雌型のペアが組まれている。
【００３２】
なお、ダストバッグ本体２０の側面２１には、ポケット２１Ｐ，２１Ｐが付設されている。ポケット２１Ｐの一方は、透明素材によって形成され、例えば、ごみの種類等を表示するカード等の収納に適する。ここで、ポケット２１Ｐ，２１Ｐにはポリ袋等を入れて、可燃性のゴミか否か等のごみの種類をカードに記載したものでポケット２１Ｐ，２１Ｐを覆うようにして、ポケット２１Ｐ，２１Ｐに雨等が入り込まないようにすることも可能である。
【００３３】
蓋体３０は、４辺に重ねフラップ３１…を形成するとともに、中央位置にごみ投入用のスリットを形成してなる面状部材である。蓋体３０は、４辺の重ねフラップ３１…を除く部分の広さがダストバッグ本体２０の開口部Ｈの大きさ相当に設定されている。
【００３４】
蓋体３０の１辺の重ねフラップ３１は、ダストバッグ本体２０の一方の掛止フラップ２３に縫合され、反対方向の重ねフラップ３１には、対応する掛止フラップ２３のマグネットホックＭ…に対応するマグネットホックＭ…が取り付けられている。また、残る２辺の重ねフラップ３１，３１には、それぞれ２個の透孔３Ｈ，３Ｈが設けられている。
【００３５】
このような形態のダストバッグＤＢは、可撓性シート材料として軟質樹脂コートキャンバス生地を使用し、樹脂コート面を内側にして形成されている。樹脂コートキャンバス生地は、非常に強靭であって高度の耐候性を有する。ダストバッグＤＢは、１対の掛止フラップ２３をキャリアフレームＣＦに掛けてバンド部材２Ｂ，２ＢのバックルＢ…をロックし、マグネットホックＭ…によって蓋体３０をした状態で使用する。この際、ダストバッグ本体２０に内袋として、ごみ用のポリ袋ＰＢを装填して用いることが好ましい。
【００３６】
ポリ袋ＰＢは、蓋体３０の施蓋手段Ｆ２としての多数のマグネットホックＭ…を利用して蓋体３０とともに簡単にしかも確実にセットすることができる（図３）。これを、例えば、ペアバンド３Ｂに取り付けられたマグネットホックＭ…について説明すると、先ず、ダストバッグ本体２０からポリ袋ＰＢの周縁部を引き上げ、これを外側に折り返してマグネットホックＭを覆うように位置決めする。次いで、蓋体３０の重ねフラップ３１の透孔３Ｈにペアバンド３Ｂの先端に取り付けたマグネットホックＭを通し、通したマグネットホックＭをポリ袋ＰＢ上から他方のマグネットホックＭに取り付けることによって完了する。ポリ袋ＰＢは、磁力によって挟まれているだけであるので破れることなく、しかも、マグネットホックＭ…の凹凸にならって屈曲しているので容易に抜け取れないのである。
【００３７】
ここで、蓋体３０のスリット３Ｓには、図５に示すような水密用のシールファスナＳＦを備えることができる。シールファスナＳＦとは、多数の務歯の噛み合いによる金属製のファスナではなく、連続する凹型レールと凸型レールの符合構造による軟質樹脂製のファスナのことである。シールファスナの採用によって、雨天時に雨水がポリ袋ＰＢ内に溜まってしまう不都合を解消することができる。なお、ダストバッグ本体２０については、水抜き孔を設けておけば済む問題であるが、ポリ袋ＰＢに水抜き孔を設けるとポリ袋ＰＢを利用する趣旨が失われるからである。
【００３８】
上記実施の形態では、過般式キャリアフレームＣＦに取
【００３９】
以上、上記実施の形態では、過般式キャリアフレームＣＦに取り付けられる例で説明したが、本実施の形態のダストバッグＤＢは、可撓性シート材料に角袋状に形成するので、そのまま設置しても良く、過般式キャリアフレームＣＦに取り付けられることなく使用することも可能である。
【符号の説明】
【００４０】
ＣＦ      キャリアフレーム
ＤＢ      ダストバッグ
Ｈ        開口部
ＰＢ      ポリ袋（ゴミ袋）
Ｆ１      掛止手段
２Ｂ      バンド部材
Ｆ２      施蓋手段
Ｍ        マグネットホック
Ｂ        バックル
２３      掛止フラップ
２０      ダストバッグ本体
３０      蓋体
３１      重ねフラップ
３Ｓ      スリット
ＳＦ      シールファスナ
【図１】
2011011835.tif 000003
【図２】
2011011835.tif 000004
【図３】
2011011835.tif 000005
【図４】
2011011835.tif 000006
【図５】
2011011835.tif 000007